(57)【要約】      （修正有）【課題】独自の装着可能品を作るための素材を与えるのみならず、技能及び芸術性が多数のレベルにある人々が、望ましくかつ耐久性のある装着可能品を上手に作ることを容易にする構築容易性をも与えるキットを提供する。【解決手段】ブルニアン絡み目１２が、二つ折りにされた閉ループがもう一つの閉ループを捉えて鎖１６をなすことに由来する絡み目から形成される。弾性バンド１４を、かかる絡み目を所望の態様で形成するべく利用することができる。一例の装置が、複合的な構成のブルニアン絡み目を使用して物品を作る手段を与える。さらに、一例のキットが、技能レベルにかかわらず独自の絡み目品を上手に作ることを可能にする装置を与える。【選択図】図２
2015054249.tif 000002
【特許請求の範囲】
【請求項１】
一連の絡み目からなる物品を作る織機であって、
長さ及び幅を有する基部と、
前記基部から立ち上がる複数のピンと
を含み、
前記複数のピンはそれぞれが、
弾性絡み目を所望の配向に保持するべく上表面に隣接するつば部と、
前記上表面を貫通するアクセス溝と
を含み、
前記複数のピンは、前記長さを横切る方向において等距離の間隔にある少なくとも３つの列に配列される織機。
【請求項２】
前記基部は、前記アクセス溝に対して開口する長溝を含み、
前記長溝は、前記基部の第１表面の下方において、ツールが前記第１表面の下方にアクセスできるように延びる、請求項１に記載の織機。
【請求項３】
前記アクセス溝はそれぞれ、共通方向に配向される、請求項１に記載の織機。
【請求項４】
前記アクセス溝は、対応する長溝と共通の方向に配向される、請求項３に記載の織機。
【請求項５】
前記アクセス溝は、前記長さに平行な方向に配向される、請求項２に記載の織機。
【請求項６】
前記少なくとも３つの列の少なくとも一つにおける複数のピンが、前記少なくとも３つの列のもう一つにおける複数のピンに対して千鳥状とされる、請求項１に記載の織機。
【請求項７】
少なくとも３つの列は、外側列間に配置された少なくとも一つの中間列を含む、請求項６に記載の織機。
【請求項８】
前記中間列は、前記外側列に対してずらされる、請求項７に記載の織機。
【請求項９】
前記外側列は、前記少なくとも一つの中間列から等距離の間隔にある、請求項８に記載の織機。
【請求項１０】
前記織機は、第２端から離間した第１端を含み、
前記複数のピンのそれぞれのアクセス溝が、前記第１端に向かって開口する、請求項１に記載の織機。
【請求項１１】
前記つば部は、前記アクセス溝の第１側から前記アクセス溝の第２側まで前記ピンまわりに延びる、請求項１に記載の織機。
【請求項１２】
前記アクセス溝は、前記つば部及び前記上表面を貫通する、請求項１１に記載の織機。
【請求項１３】
前記基部は、前記複数のピンのそれぞれを少なくとも部分的に取り囲む前記第１表面を貫通する開口を含む、請求項１に記載の織機。
【請求項１４】
前記基部は、第１織機の第１基部を第２織機の第２基部に接続する少なくとも一つの嵌合外形を含む、請求項１に記載の織機。
【請求項１５】
前記少なくとも一つの嵌合外形は、前記第１基部及び前記第２基部の第１端及び第２端の少なくとも一つに配置される、請求項１４に記載の織機。
【請求項１６】
一連の絡み目を作る装置であって、
長さ及び幅を含む基部と、
前記基部から立ち上がる複数のピンと
を含み、
前記複数のピンはそれぞれが、
絡み目を所望の配向に保持する上部分と、
前記複数のピンのそれぞれの共通方向を向くアクセス溝と
を含み、
前記複数のピンは、離間しかつ基部から上方に延びるずれたピンの列を含む装置。
【請求項１７】
前記複数のピンの少なくとも一つの所定位置に絡み目を保持するべく前記上部分に隣接するつば部を含む、請求項１６に記載の装置。
【請求項１８】
前記アクセス溝はそれぞれ、前記基部の一端の方を向く、請求項１６に記載の装置。
【請求項１９】
前記基部は、前記アクセス溝に対して開口する長溝を含み、
前記長溝は表面の下方において、ツールが前記第１表面の下方にアクセスできるように延びる、請求項１６に記載の装置。
【請求項２０】
前記長溝は、前記アクセス溝と共通の方向を向く、請求項１９に記載の装置。
【請求項２１】
前記基部は、一つの基部を第２の基部に接続する接続外形を含む、請求項１６に記載の装置。
【請求項２２】
複数の弾性バンドから絡み目品を作る方法であって、
第１ピン及び第２ピン間に第１弾性バンドを引き伸ばすことと、
前記第２ピンにある前記第１弾性バンドを超えて第２ピン及び第３ピン間に第２弾性バンドを引き伸ばすことと、
前記第２ピンにある前記第２弾性バンドの一端を捉えることと、
絡み目を形成するべく、前記第２弾性バンドの捉えられた前記一端を、前記第１弾性バンドを通るようにかつ前記第３ピンに向かって引っ張ることと
を含む方法。
【請求項２３】
前記第２弾性バンドの一端を捉えることは、フックをアクセス溝の中に延ばして前記フックによって前記一端を捉えることを含む、請求項２２に記載の方法。
【請求項２４】
前記第２弾性バンドの前記一端を捉えるべく、前記アクセス溝に対して開口する長溝の中に前記フックを延ばすことを含む、請求項２３に記載の方法。
【請求項２５】
後続する弾性バンドを、隣接するピン及び先行する弾性バンドを超えて引き伸ばすことと、
所望数の絡み目を形成するべく前記複数の弾性バンドの異なる弾性バンドの後続する端を引っ張ることと
を含む、請求項２２に記載の方法。
【請求項２６】
複数のピンに対して空間配向を画定するべく第１基部を第２基部に接続するステップを含む、請求項２２に記載の方法。
【発明の詳細な説明】
【技術分野】
【０００１】
本開示は一般に、絡み目品を作る方法及び装置に関する。詳細には、本開示は、弾性バンドから装着可能な絡み目品を作る方法及び装置に関する。
【０００２】
関連出願の相互参照
本願は、２０１３年７月１０日出願の米国特許出願第１３／９３８，７１７号の一部継続出願である。米国特許出願第１３／９３８，７１７号は、２０１０年１１月５日出願の米国仮特許出願第６１／４１０，３９９号の優先権を主張する２０１１年９月８日出願の米国特許出願第１３／２２７，６３８号の継続出願である。米国特許出願第１３／２２７，６３８号は現在、米国特許第８，４８５，５６５号として特許されている。本願はまた、２０１３年９月１３日出願の米国仮特許出願第６１／８７７，４８０号の優先権も主張する。
【背景技術】
【０００３】
独自の色のブレスレット又はネックレスを作るための材料を含むキットはいつも、ある程度の人気を得ている。しかしながら、かかるキットは通常、異なる色の糸及びビーズのような素材を含むのみであり、個人の技能及び才能に依存して有用かつ望ましい物品が構築される。したがって、独自の装着可能品を作るための素材を与えるのみならず、技能及び芸術性が多数のレベルにある人々が、望ましくかつ耐久性のある装着可能品を上手に作ることを容易にする構築容易性をも与えるキットが必要とされかつ望まれている。
【発明の概要】
【０００４】
ブルニアン絡み目は、二つ折りにされた閉ループがもう一つの閉ループを捉えて鎖をなすことに由来する絡み目から形成される。弾性バンドは、かかる絡み目を所望の態様で形成するべく利用することができる。一例の装置は、複合的な構成のブルニアン絡み目を使用して物品を作る手段を与える。さらに、一例のキットは、技能レベルにかかわらず独自の装着可能品を上手に作ることを可能にする装置を与える。
【０００５】
異なる例が、例示される特定のコンポーネントを有するが、本発明の実施形態はこれらの特定の組み合わせに限られない。これらの例の一つからの当該コンポーネント又は特徴のいくつかを、当該例のもう一つからの特徴又はコンポーネントと組み合わせて使用することができる。
【０００６】
以下の明細書及び図面から、ここに開示されるこれらの及び他の特徴を最もよく理解することができる。
【図面の簡単な説明】
【０００７】
【図１】一例の絡み目品の模式図である。
【図２】弾性バンドから形成された一例のブルニアン絡み目の模式図である。
【図３】弾性バンドからブルニアン絡み目を作る一例のキットの模式図である。
【図４】一例の織機の断面図である。
【図５】一例の織機の上面図である。
【図６】一例の織機の側面図である。
【図７】一例の織機のピンを通る断面図である。
【図８】２つの織機の接続の模式図である。
【図９】弾性バンドを捉える第１位置の模式図である。
【図１０】弾性バンドを捉える第２位置の模式図である。
【発明を実施するための形態】
【０００８】
図１及び２を参照する。連続ループ構造物１４が、実際の結び目を形成することなく、ブルニアン絡み目１２を形成している。いくつかの絡み目１２が鎖１６をなしてブレスレット１０のような絡み目品を形成する。その後、両端が固定され、耐久性のある装着可能品１０が作られる。本例では、輪ゴムのような３つの閉ループ弾性バンド１４が一つの鎖を形成することが示されている。一つの弾性バンド１４の、もう一つの弾性バンド１４の中央部分２０を捉える端１８が、それぞれの絡み目１２を形成する。それぞれの絡み目１２は、先行する及び後続する絡み目１４に依存して所望の絡み目品を維持する。
【０００９】
図３及び４を参照する。ブレスレット及び他の装着可能品又は装飾品のようなブルニアン絡み目品を作る一例のキット６４は、織機２２、フック６６、複数のクリップ６８及び複数の弾性バンド７０を含む。織機２２は基部３６及び複数のピン４０を含む。複数のピン４０は、基部３６から立ち上がる。基部３６は第１表面３８を含む。ピン４０は第１表面３８から延びる。ピン４０はそれぞれ、上表面４２及びつば部４４を含む。つば部４４は、弾性バンドを所望の配向に保持する。本例では、つば部４４は、アクセス溝４８の第１側からアクセス溝４８の第２側まで延びる。
【００１０】
続けて図３及び４を参照するとともに、図５及び６も参照する。基部３６は長さ５６及び幅５５を含む。基部３６は、第１端２４、第２端２６、第１側５０及び第２側５２を含む。ピン４０は、基部３６から立ち上がる。ピン４０はそれぞれ、本体部分４６を含む。本体部分４６は一側にアクセス溝４８を含む。アクセス溝４８は、上表面４２及びつば部４４を貫通する。本体部分４６は、アクセス溝４８の反対側に、弾性バンドを支持する丸まった形状を含む。アクセス溝４８はそれぞれ、共通方向７６に開口する。開示の例では、アクセス溝はすべて、第２端２６の方を向く。開口７４が、各ピン４０を部分的に取り囲み、かつ、基部３６の第１表面３８を貫通する。
【００１１】
続けて図４、５及び６を参照するとともに、図７も参照する。基部３６は長溝５４を含む。長溝５４は、第１表面３８の下方に延び、かつ、アクセス溝４８の対応する一つと連通する。長溝５４によってフック６６は、第１表面３８の下方に延びて、ピン４０に支持された底の又は最下の弾性バンドを捉えることができる。絡み目品の製作中、一つの弾性バンドが捉えられ、かつ、共通ピン４０に支持されたもう一つの弾性バンドの中で上方へと引かれる。したがって、フック６６は、最下の弾性バンドを捉えてその弾性バンドを長溝５４及び上の弾性バンドを通るように引っ張るべく、アクセス溝４８を貫通して長溝５４の中に入る。長溝５４は、ピン４０及びアクセス溝４８から前方へと延びる。
【００１２】
複数のピン４０が、織機２２の長手方向長さ５６が第１端２４と第２端２８との間に延びる複数列に配列される。この開示の例では、列は、外側第１列６０と外側第２列６２との間に配置された少なくとも一つの中央列又は中間列５８を含む。中間列５８並びに第１及び第２外側列６０、６２は、長手方向長さ５６を横切る方向に等距離７５だけ互いに離間する。中間列５８は、各側の第１及び第２列６０、６２に対して千鳥状にされ又はずらされる。したがって本例では、中間列５８は、第１外側列６０及び第２外側列６２のピン４０に対して長手方向に距離７２だけ千鳥状にされ又はずらされたピン４０を含む。開示の例の中間列５８は第１端２４において、他のピン４０の前方に間隔を空けて一つのピン４５を含む。
【００１３】
各ピン４０の長溝５４及びアクセス溝４８はそれぞれ、共通方向７６を向く。開示の織機２２における共通方向７６は、第２端２６の方を向き、かつ、第１端２４から離れる方を向く。
【００１４】
続けて図５を参照するとともに図８も参照する。基部は、第１端２４にタブ２８を、第２端２６にスロット３０を含む。これらは、一方の織機２２Ａの基部３６Ａを、もう一方の又は第２の織機２２Ｂの基部３６Ｂに接続する。複数の織機２２を接続することにより、追加的な見込まれる絡み目の組み合わせ及び長さが与えられる。本例では、タブ２８及びスロット３０はそれぞれ、第１及び第２端２４、２６に設けられるが、かかる接続外形は、第１及び第２側５０、５２にも想定される。
【００１５】
続けて図３〜７を参照するとともに、図９及び１０も参照する。長溝５４によってフック６６は、２つの位置において弾性バンドを引っかけてこれに係合することができる。図９に示される一方の位置では、フック６６がアクセス溝４８の中を向いている。図１０に示される第２位置では、フック６６は、アクセス溝４８の外側を向いている。基部３６内の長溝５４がアクセス溝４８に直接連通しているので、フック６６は、ピン４０に支持された最下の弾性バンドの下方において、アクセス溝４８から長溝５４の中へ移動することができる。最下の弾性バンドはその後、アクセス溝４８を通るように、かつ、同じピン４０に支持された上の弾性バンドを通るように引っ張ることができる。
【００１６】
織機２２を利用して絡み目品を作る開示の方法は、隣接する第１及び第２ピン８２、８４間に第１弾性バンド７８を引き伸ばすステップを含む。つば部４４が、弾性バンド７８を第１及び第２ピン８２、８４に保持して当該弾性バンドの滑り抜けを防止する。第２弾性バンド８０が、第２ピン８４及び第３ピン８６間に引き伸ばされる。第２弾性バンド８０は、第２ピン８４において第１弾性バンド７８の上方に支持される。第１バンド７８の一端を捉えてアクセス溝及び第２バンド８０を通るように引っ張り、かつ、本例では第１ピン８２である隣接ピンに当該捉えた端を配置することによって、絡み目が形成される。これがブルニアン絡み目を形成し、かつ、その絡み目を所定位置に保持する。その結果、追加的な絡み目を形成して既存の絡み目に連結することができる。
【００１７】
フック６６が、弾性バンドの端を捉えるべく利用され、かつ、アクセス溝４８を通るように長溝５４の中であって、本例では第１バンド７８である最下の弾性バンドの下方に挿入される。フック６６が、弾性バンド７８を把持するべく、及び、当該弾性バンドを、アクセス溝４８を通るように上方に、かつ、その下の弾性バンドの上にある弾性バンドの中に引っ張るべく使用されてブルニアン絡み目が形成される。複数の弾性バンドの一つの捉えられた端が、他端を超えて引っ張られて隣接するピンに捉えられる一方、複数の弾性バンドの第２の弾性バンドに係合される。複数の弾性バンドの異なる弾性バンドの後続端を捉え及び引っ張ることが繰り返されて、所望の絡み目パターンが形成される。
【００１８】
したがって、一例のキット及び方法によって、ブレスレット、ネックレス及び他の絡み目品を作るべく、ブルニアン絡み目の多数の異なる組み合わせ及び構成を作ることができる。さらに、一例のキットは拡張可能であり、潜在的なブルニアン絡み目の作成能力をさらに作り出して拡張することができる。一例のキットによって、かかる絡み目品を、様々な技能レベルの人々でも上手に独自の装着可能品を作ることを許容する簡単な態様で作ることができる。
【００１９】
一例の実施形態が開示されたが、当業者であれば、一定の修正例でも本開示の範囲内に収まることがわかる。それゆえ、本発明の範囲及び内容を決定するには、以下の特許請求の範囲を検討するべきである。
【図１】
2015054249.tif 000003
【図２】
2015054249.tif 000004
【図３】
2015054249.tif 000005
【図４】
2015054249.tif 000006
【図５】
2015054249.tif 000007
【図６】
2015054249.tif 000008
【図７】
2015054249.tif 000009
【図８】
2015054249.tif 000010
【図９】
2015054249.tif 000011
【図１０】
2015054249.tif 000012
【外国語明細書】
2015054249.tif 000013
2015054249.tif 000014
2015054249.tif 000015
2015054249.tif 000016
2015054249.tif 000017
2015054249.tif 000018
2015054249.tif 000019
2015054249.tif 000020
2015054249.tif 000021
2015054249.tif 000022
2015054249.tif 000023
2015054249.tif 000024
2015054249.tif 000025
2015054249.tif 000026
2015054249.tif 000027
2015054249.tif 000028
2015054249.tif 000029
2015054249.tif 000030
2015054249.tif 000031
2015054249.tif 000032